(57)【要約】      （修正有）【課題】マンションなどの廊下に取り付けられた手摺を外部から見た場合、太い支柱がなく立子が連続して見えるため意匠的にきわめて優れ且つ音鳴り防止機能をも備える笠木立格子型の手摺構造を提供する。【解決手段】笠木１の中心軸と支柱２ａ〜２ｃの中心軸を一致させ支柱間に立子３ａ〜３ｃを配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、立子と立子間のピッチおよび立子と支柱間のピッチがすべて均等に割り付けられている。【選択図】図１
0003221056.tif 000002
【実用新案登録請求の範囲】
【請求項１】
笠木の中心軸と支柱の中心軸とを一致させ支柱間に立子を配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、立子と立子間のピッチおよび立子と支柱間のピッチがすべて均等に割り付けられていることを特徴とする手摺構造。
【請求項２】
前記立子の見付け面が前記支柱の見付け面と略同一面になるよう立子を支柱に対して偏位させて組み付けたことを特徴とする請求項１に記載の手摺構造。
【請求項３】
前記支柱および立子が中空形状に形成されていることを特徴とする請求項１または２に記載の手摺構造。
【考案の詳細な説明】
【技術分野】
【０００１】
本考案は、特にマンションなどの集合住宅のバルコニーや廊下に用いられる手摺構造に関する。
【背景技術】
【０００２】
マンションのバルコニーや廊下には、図６〜７に示すように、笠木１の中心軸Ｃ１（図７に一点鎖線で表示）と支柱２ａ、２ｂ、２ｃ・・の中心軸Ｃ２（図７に一点鎖線で表示）を一致させ、支柱２ａ、２ｂ、２ｃ・・間に立子３ａ、３ｂ、３ｃ・・を並設して組み付けた笠木立格子型手摺が取り付けられている。４は立子３ａ、３ｂ、３ｃ・・の下端部を固着するための下枠、５は手摺を立設するためのコンクリートスラブ、９は笠木１の下部に嵌着され立子３ａ、３ｂ、３ｃ・・の上端部を固着するためのカバー部材である。
【０００３】
このような従来の笠木立格子型手摺においては、マンションの外観において、手摺を見ると、図６に示すように太い支柱が目立ってしまい、意匠的には必ずしも優れたものとは言えないという難点がある。
【０００４】
また、マンションなど、集合住宅のバルコニーや廊下に設置されている手摺において、手摺の立子の間を吹き抜ける風の影響で立子が振動して音鳴りが生じ、騒音となってマンションの住民の眠りを妨げるなどの問題が生じていることも報告されている。
【先行技術文献】
【特許文献】
【０００５】
【特許文献１】特開２００４−３１６２３６号公報
【考案の概要】
【考案が解決しようとする課題】
【０００６】
本考案は、上記従来の笠木立格子型手摺における難点および問題点を解消するためになされたものであり、その目的は、上記従来の笠木立格子型手摺における構造を改良し、例えば、マンションなどの廊下に取り付けられた手摺を外部から見た場合、太い支柱がなく立子が連続して見え、意匠的にきわめて優れるともに、音鳴りの問題も解消することができる笠木立格子型の手摺構造を提供することにある。
【課題を解決するための手段】
【０００７】
上記の目的を達成するための請求項１による手摺構造は、笠木の中心軸と支柱の中心軸を一致させ支柱間に立子を配設して組み付ける笠木立格子型手摺で、支柱の見付け寸法と立子の見付け寸法は近似または同一寸法であり、支柱は見付け寸法が見込み寸法より小さい縦長の長方形断面を有する部材により形成され、立子は見付け寸法が見込み寸法より大きい横長の長方形断面を有する部材により形成されたものであって、立子と立子間のピッチおよび立子と支柱間のピッチがすべて均等に割り付けられていることを特徴とする。
【０００８】
請求項２による手摺構造は、請求項１において、前記立子の見付け面が前記支柱の見付け面と略同一面になるよう立子を支柱に対して偏位させて組み付けたことを特徴とする。
【０００９】
請求項３による手摺構造は、請求項１または２において、前記支柱および立子が中空形状に形成されていることを特徴とする。
【考案の効果】
【００１０】
本考案によれば、例えば、マンションなどの廊下に取り付けられた本考案に係る手摺を外部から見た場合、均等なピッチで配置された同じ見付け寸法を有する支柱と立子が連続して見える意匠的にきわめて優れた笠木立格子型の手摺構造が提供される。
【００１１】
また、前記立子の見付け面が前記支柱の見付け面と略同一面になるよう立子を支柱に対して偏位させて組み付けることにより（請求項２）、上記の効果に加えて、手摺を取り付けたバルコニーや廊下の有効使用空間が大きくなり、バルコニーや廊下を広く使うことができる。
【００１２】
さらに、立子は見付け寸法が見込み寸法より大きい横長の長方形断面を有する部材により形成されているから、手摺の立子の間を吹き抜ける風により立子が振動し難くなり、音鳴りの問題も解消することができる。以下に、本考案の手摺を従来の手摺と比較して音鳴りについての確認試験の結果を示す。
【００１３】
支柱間に見付け寸法（表面からみた立子の幅寸法）が２０ｍｍ、見込み寸法（立子の奥行寸法）が２０ｍｍ（肉厚２ｍｍ）の正方形断面を有する立子を１００ｍｍ間隔で配設した従来の手摺と、支柱間に見付け寸法が３５ｍｍ、見込み寸法が２０ｍｍ（肉厚２ｍｍ）の横長の長方形断面を有する立子を７０ｍｍ間隔で配設した本考案の手摺を試験体として、音鳴り発生の有無を調べるために下記の方法で風洞実験を行った（実験者：株式会社ササクラ  消音空調事業部）。
（風洞実験条件）
風洞吹き出し口に正面に、設置角度０°から６０°まで変えて試験体を設置し、風速を５ｍ／秒から１２ｍ／秒まで変えて、風が試験体に当たって発生する音を測定した。風速は風洞断面（幅６００ｍｍ、高さ９００ｍｍ）における風速である。なお、風速が１５ｍ／秒以上の強風域では手摺以外でも相当な音（環境音）が発生し、一般的には室内で窓を閉めた状態となることが予想されるため、風速が１５ｍ／秒以上の強風域での音鳴りについては問題とはならないことが確認されている。
（風洞実験結果）
従来の手摺においては、試験体の設置角度１５°で風速８ｍ／秒（Ａ特性：５１．２ｄＢ）、試験体の設置角度４５°で風速１２ｍ／秒（Ａ特性：５７．１ｄＢ）の条件のとき、ビー、ウ゛―ンという立子の振動音が発生して立子が前後左右共に振動して音鳴りが生じた。これに対して、本考案の手摺においては、試験体の設置角度０°〜６０°、風速５ｍ／秒〜１２ｍ／秒のすべての条件で全く音鳴りが生じることがなく、音鳴りに対する本考案の手摺の優位性が確認された。
【図面の簡単な説明】
【００１４】
【図１】本考案に係る手摺構造を示す正面図である。
【図２】図１の側断面図である。
【図３】図２の拡大図で、支柱、立子および笠木の配置形態を示すものである。
【図４】図１の要部平断面図で、平断面から見た手摺構造の支柱と立子の配置形態を示すものである。
【図５】図１に示す手摺構造のコーナー部の要部平断面図で、平断面から見たコーナー部におけるＬ形立子部材と支柱、立子の配置形態を示すものである。
【図６】従来の手摺構造を示す正面図である。
【図７】図６に示す従来の手摺構造のコーナー部の要部平断面図で、平断面から見たコーナー部における支柱と、立子の配置形態を示すものである。
【考案を実施するための形態】
【００１５】
以下、図面（図１〜図５）により本考案に係る手摺構造について説明する。なお、図面において、従来と同じ部材には同一の符号を付した。
【００１６】
本考案に係る手摺構造は、特に図２〜３、図５に示されるように、笠木１の中心軸Ｃ１（図５に一点鎖線で表示）と支柱２ａ、２ｂ、２ｃ・・の中心軸Ｃ２（図５に一点鎖線で表示）を一致させ、支柱２ａ、２ｂ、２ｃ・・間に立子３ａ、３ｂ、３ｃ・・を並設して組み付けた笠木立格子型手摺である。４は立子３ａ、３ｂ、３ｃ・・の下端部を固着するための下枠、５は手摺を立設するためのコンクリートスラブ、９は笠木１の下部に嵌着され立子３ａ、３ｂ、３ｃ・・の上端部を固着するためのカバー部材である。
【００１７】
図４〜５に示すように、支柱２ａ、２ｂ、２ｃ・・の見付け寸法（表面からみた支柱の幅寸法）Ｐｗと立子３ａ、３ｂ、３ｃ・・の見付け寸法（表面からみた立子の幅寸法）Ｂｗは近似または同一寸法であり、支柱２ａ、２ｂ、２ｃ・・は見付け寸法Ｐｗが見込み寸法（支柱の奥行寸法）Ｐｄより小さい縦長の長方形断面を有する部材により形成され、立子３ａ、３ｂ、３ｃ・・は見付け寸法Ｂｗが見込み寸法（立子の奥行寸法）Ｂｄより大きい横長の長方形断面を有する部材により形成されている。
【００１８】
本考案に係る手摺構造のコーナー部は、図５に詳細を示すように、コーナー部の笠木は立子３ａ、３ｂ、３ｃ・・の見込み寸法と同一の見込み寸法Ｂｄを有するＬ形立子部材３Ｃにより支持（支受）されている（Ｌ形立子部材３Ｃの見込み寸法Ｂｄ（３Ｃ）＝立子の見込み寸法Ｂｄ）。図５に示されるＬ形立子部材３Ｃの見付け寸法Ｐｗ（３Ｃ）は立子３ａ、３ｂ、３ｃ・・の見付け寸法Ｂｗと同一となるよう形成することが望ましい（Ｌ形立子部材３Ｃの見付け寸法Ｐｗ（３Ｃ）＝立子の見付け寸法Ｂｗ）。
【００１９】
支柱２ａ、２ｂ、２ｃ・・、立子３ａ、３ｂ、３ｃ・・およびＬ形立子部材３Ｃは中空形状に形成されているのが好ましく、支柱２ａ、２ｂ、２ｃ・・、立子３ａ、３ｂ、３ｃ・・およびＬ形立子部材３Ｃはアルミニウム合金の中空押出形材を適用して構成するのが望ましい。
【００２０】
これら部材の見付け寸法、見込み寸法を例示すると、例えば、支柱２ａ、２ｂ、２ｃ・・においては、Ｐｗ＝３５ｍｍ、Ｐｄ＝６０ｍｍ、立子３ａ、３ｂ、３ｃ・・においては、Ｂｗ＝３５ｍｍ、Ｂｄ＝２０ｍｍ、Ｌ形立子部材３Ｃにおいては、Ｂｗ（３Ｃ）＝３５ｍｍ、Ｂｄ（３Ｃ）＝２０ｍｍで、立子の見込み寸法Ｂｄは支柱の見込み寸法Ｐｄの好ましくは１／２以下、より好ましくは１／３以下とする。
【００２１】
図４に示す立子と立子間のピッチＰ１および立子と支柱間のピッチＰ２はすべて均等に割り付けられており（Ｐ１＝Ｐ２）、このような立子と支柱の配置により、図１に示すように、均等なピッチで配置された同じ見付け寸法を有する支柱２ａ、２ｂ、２ｃ・・と立子３ａ、３ｂ、３ｃ・・が連続して見える意匠的にきわめて優れた笠木立格子型の手摺構造が形成される。
【００２２】
また、図３〜５に示すように、立子３ａ、３ｂ、３ｃ・・の見付け面（支柱間に並設される立子の表面が位置する面）６とＬ形立子部材３Ｃの見付け面（Ｌ形立子部材の表面が位置する面）８が支柱２ａ、２ｂ、２ｃ・・の見付け面（支柱の表面が位置する面）７と略同一面になるよう立子３ａ、３ｂ、３ｃ・・およびＬ形立子部材３Ｃを支柱２ａ、２ｂ、２ｃ・・に対して表面側に偏位させて組み付けることにより、手摺を取り付けたバルコニーや廊下の有効使用空間が大きくなり、バルコニーや廊下を広く使うことができる。
【符号の説明】
【００２３】
１    笠木
２ａ、２ｂ、２ｃ・・  支柱
３ａ、３ｂ、３ｃ・・  立子
３Ｃ  Ｌ形立子部材
４    立子の下端部を固着するための下枠
５    手摺構造を立設するためのコンクリートスラブ
６    立子の見付け面
７    支柱の見付け面
８    Ｌ形立子部材の見付け面
９    笠木の下部に嵌着され立子の上端部を固着するためのカバー部材
Ｐｗ  支柱の見付け寸法
Ｐｄ  支柱の見込み寸法
Ｂｗ  立子の見付け寸法
Ｂｄ  立子の見込み寸法
Ｂｗ（３Ｃ）  Ｌ形立子部材の見付け寸法
Ｂｄ（３Ｃ）  Ｌ形立子部材の見込み寸法
Ｐ１  立子間のピッチ
Ｐ２  支柱と立子間のピッチ
【図１】
0003221056.tif 000003
【図２】
0003221056.tif 000004
【図３】
0003221056.tif 000005
【図４】
0003221056.tif 000006
【図５】
0003221056.tif 000007
【図６】
0003221056.tif 000008
【図７】
0003221056.tif 000009